(57)【要約】  本発明の実施形態は一般的にはＲＴＰチャンバに関する。そのチャンバは一般的にはチャンバ本体と、チャンバリッドとを含む。チャンバ本体は、基板支持体上に位置決めされた基板を加熱するため抵抗ヒータの複数の区域を有する基板支持体を含む。また、チャンバ本体は、任意で、熱応力を緩和する冷却チャネルと、その中に配置され、熱処理中に発生した熱を封じ込めるための断熱ライナとを含む。チャンバリッドは、その中を貫通する開口部を有するリッド本体と、開口部内に配置される反射板とを含む。複数の高温計が反射板内に位置決めされ、基板支持体の区域に対応する、基板全域にわたる複数の場所で基板の温度を測定する。各区域の温度は複数の高温計からの信号に応じて調整される。【選択図】図２
2015501080.tif 000002
【特許請求の範囲】
【請求項１】
チャンバであって、
チャンバ本体と、
前記チャンバ本体内に配置される基板支持体であって、前記基板支持体は、前記基板支持体上に位置決めされた基板を加熱するため独立して加熱されることができる複数の区域を有する、前記基板支持体と、
前記チャンバ本体上に配置されるチャンバリッドとを備え、前記チャンバリッドは、
アルミニウムを含むリッド本体であって、前記リッド本体はその中を貫通して配置される円形開口部を有する、前記リッド本体と、
前記円形開口部内に位置決めされ、前記基板支持体の上面に隣接する表面を有する反射板と、
前記基板の表面の全域にわたる複数の場所で前記基板の温度を測定するため、前記反射板内に形成された開口部を貫通して配置される複数の高温計であって、前記複数の高温計の各高温計は前記複数の区域のうちの各区域に対応する、前記複数の高温計とを備える、チャンバ。
【請求項２】
前記基板支持体は、複数の独立して制御可能な抵抗加熱素子を備え、前記抵抗加熱素子は前記複数の高温計によって測定された温度に応じて調整される、請求項１に記載のチャンバ。
【請求項３】
前記複数の区域は前記基板支持体上の中心に配置される円形の形状を有する第１の区域と、前記第１の区域の周囲を囲む第２の区域とを含む、請求項１に記載のチャンバ。
【請求項４】
前記複数の区域は第３の区域、第４の区域、第５の区域及び第６の区域を更に含み、前記第３の区域、前記第４の区域、前記第５の区域及び前記第６の区域は前記第２の区域の半径方向外側に配置される、請求項３に記載のチャンバ。
【請求項５】
前記第３の区域、前記第４の区域、前記第５の区域及び前記第６の区域はそれぞれ、前記基板支持体の外周の約９０度の周囲に延在する、請求項４に記載のチャンバ。
【請求項６】
前記チャンバ本体は、その内面上に配置される断熱ライナと、温度制御流体を含むためその中に形成される流路とを更に備える、請求項１に記載のチャンバ。
【請求項７】
チャンバであって、
アルミニウムを含むチャンバ本体と、
前記チャンバ本体内に配置される基板支持体であって、前記基板支持体は前記基板支持体上に位置決めされた基板を加熱するため独立して加熱されることができる複数の区域を有する、前記基板支持体と、
前記チャンバ本体上に配置されるチャンバリッドとを備え、前記チャンバリッドは、
アルミニウムを含むリッド本体であって、前記リッド本体はその中を貫通して配置される円形開口部を有する、前記リッド本体と、
前記円形開口部内に位置決めされ、前記基板支持体の上面に隣接する表面を有する反射板と、
前記基板の表面の全域にわたる複数の場所で前記基板の温度を測定するため、前記反射板内に形成された開口部を貫通して配置される複数の高温計であって、前記複数の高温計の各高温計は前記複数の区域のうちの１つの区域に対応する、前記複数の高温計とを備える、チャンバ。
【請求項８】
前記複数の区域は前記基板支持体上の中心に配置される円形の形状を有する第１の区域と、前記第１の区域の周囲を囲む第２の区域とを含む、請求項７に記載のチャンバ。
【請求項９】
前記複数の区域は第３の区域、第４の区域、第５の区域及び第６の区域を更に含み、前記第３の区域、前記第４の区域、前記第５の区域及び前記第６の区域は前記第２の区域の半径方向外側に配置される、請求項８に記載のチャンバ。
【請求項１０】
前記基板支持体は、複数の独立して制御可能な抵抗加熱素子を備える、請求項９に記載のチャンバ。
【請求項１１】
前記複数の独立して制御可能な抵抗加熱素子は、前記複数の高温計によって測定された温度に応じて調整され、前記チャンバ本体は、その内面に配置される断熱ライナを更に備える、請求項１０に記載のチャンバ。
【請求項１２】
チャンバであって、
アルミニウムを含むチャンバ本体と、
前記チャンバ本体内に配置される基板支持体であって、前記基板支持体は前記基板支持体上に位置決めされた基板を加熱するため独立して加熱されることができる複数の区域を有し、前記複数の区域のうちの各区域は抵抗加熱素子を備える、前記基板支持体と、
前記チャンバ本体上に配置されるチャンバリッドであって、前記チャンバリッドは、
アルミニウムを含むリッド本体であって、前記リッド本体はその中を貫通して配置される円形開口部を有する、前記リッド本体、
前記円形開口部内に位置決めされ、前記基板支持体の上面に隣接する表面を有する反射板、及び
前記基板の表面の全域にわたる複数の場所で前記基板の温度を測定するため、前記反射板内に形成された開口部を貫通して配置される複数の高温計であって、前記複数の高温計の各高温計は前記複数の区域のうちの１つの区域に対応する、前記複数の高温計とを備える、チャンバリッドと、
各区域の前記抵抗加熱素子に結合され、かつ前記複数の高温計に結合されるコントローラであって、前記コントローラは前記複数の高温計のそれぞれからの信号に基づいて、各区域の前記抵抗加熱素子に印加される電力の量を制御するように適合される、コントローラとを備える、チャンバ。
【請求項１３】
前記複数の区域は前記基板支持体上の中心に配置される円形の形状を有する第１の区域と、前記第１の区域の周囲を囲む第２の区域とを含む、請求項１２に記載のチャンバ。
【請求項１４】
前記複数の区域は第３の区域、第４の区域、第５の区域及び第６の区域を更に含み、前記第３の区域、前記第４の区域、前記第５の区域及び前記第６の区域は前記第２の区域の半径方向外側に配置される、請求項１３に記載のチャンバ。
【請求項１５】
前記第３の区域、前記第４の区域、前記第５の区域及び前記第６の区域はそれぞれ、前記基板支持体の外周の約９０度の周囲に延在し、前記基板支持体はアルミニウムから形成され、前記抵抗加熱素子はモリブデンを含む、請求項１４に記載のチャンバ。
【発明の詳細な説明】
【技術分野】
【０００１】
本発明の実施形態は一般的には急速熱処理（ＲＴＰ）チャンバに関する。
【背景技術】
【０００２】
ＲＴＰはシリコンウエハのような基板を数秒以内に１２００℃以上の温度まで加熱する製造プロセスである。ＲＴＰはドーパント活性化、熱酸化又は金属リフローを含む、種々の用途に用いられる場合がある。
【０００３】
１つのタイプの既存のＲＴＰチャンバは、処理中の基板を急速に加熱するためランプのアレイを利用する。ランプに印加される電力の量、したがって、そこから発生する熱の量はチャンバ内に配置される複数の高温計に接続されるコントローラによって制御される。他のタイプのチャンバは、加熱される基板支持体を利用し、抵抗測定デバイスを用いて温度を制御することができる。既存のＲＴＰチャンバは、製造設備のためにかなり大きな投資を必要とし、それゆえ、デバイスを生産するコストが上昇する。
【０００４】
したがって、改善されたＲＴＰチャンバが必要とされている。
【発明の概要】
【０００５】
本発明の実施形態は、一般的にはＲＴＰチャンバに関する。そのチャンバは、一般的にチャンバ本体と、チャンバリッドとを含む。チャンバ本体は、基板支持体上に位置決めされた基板を加熱するため抵抗ヒータの複数の区域を有する基板支持体を含む。また、チャンバ本体は、任意で、熱応力を緩和する冷却チャネルと、その中に配置され、熱処理中に発生した熱を封じ込めるための断熱ライナとを含む。チャンバリッドは、その中を貫通する開口部を有するリッド本体と、開口部内に配置される反射板とを含む。複数の高温計が反射板内に位置決めされ、基板支持体の区域に対応する、基板の全域にわたる複数の場所で基板の温度を測定する。各区域の温度は、複数の高温計からの信号に応じて調整される。
【０００６】
一実施形態では、チャンバは、チャンバリッドと、チャンバ本体とを備える。基板支持体は、チャンバ本体内に配置され、基板支持体上に位置決めされる基板を加熱するため独立して加熱されることができる複数の区域を有する。チャンバリッドは、チャンバ本体上に配置され、その中を貫通して配置される円形開口部を有する。チャンバリッドは、円形開口部内に位置決めされ、基板支持体の上面に隣接する表面を有する反射板も含む。複数の高温計は、反射板内に形成された開口部を貫通して配置され、基板の表面の全域にわたる複数の場所で基板の温度を測定する。複数の高温計の各高温計は、複数の区域のうちの１つの区域に対応する。
【０００７】
別の実施形態では、チャンバは、アルミニウムを含むチャンバ本体と、チャンバリッドとを備える。基板支持体は、チャンバ本体内に配置され、基板支持体上に位置決めされた基板を加熱するため独立して加熱されることができる複数の区域を有する。チャンバリッドは、チャンバ本体上に配置され、アルミニウムを含むリッド本体を含む。リッド本体は、その中を貫通して配置される円形開口部を有する。反射板は、円形開口部内に位置決めされ、基板支持体の上面に隣接する表面を有する。複数の高温計は、反射板内に形成された開口部を貫通して配置され、基板の表面の全域にわたる複数の場所で基板の温度を測定する。複数の高温計の各高温計は、複数の区域のうちの１つの区域に対応する。
【０００８】
別の実施形態では、チャンバは、アルミニウムを含むチャンバ本体と、チャンバリッドと、コントローラとを備える。基板支持体は、チャンバ本体内に配置される。基板支持体は、基板支持体上に位置決めされた基板を加熱するため独立して加熱されることができる複数の区域を有する。複数の区域のうちの各区域は、抵抗加熱素子を備える。チャンバリッドは、チャンバ本体上に配置され、アルミニウムを含むリッド本体を含む。リッド本体は、その中を貫通して配置される円形開口部を有する。反射板は、円形開口部内に位置決めされ、基板支持体の上面に隣接する表面を有する。複数の高温計は、反射板内に形成された開口部を貫通して配置され、基板の表面の全域にわたる複数の場所で基板の温度を測定する。複数の高温計の各高温計は、複数の区域のうちの１つの区域に対応する。チャンバは、各区域の抵抗加熱素子に結合され、かつ複数の高温計に結合されるコントローラも含む。コントローラは、複数の高温計のそれぞれからの信号に基づいて、各区域の抵抗加熱素子に印加される電力の量を制御するように適合される。
【０００９】
本発明の先に記載された特徴を細部にわたって理解することができるように、複数の実施形態を参照することによって、先に手短に要約された本発明の更に詳細な説明を行うことができ、それらの実施形態のうちの幾つかが添付の図面において例示される。しかしながら、本発明は他の同様に実効的な実施形態を受け入れることができるので、添付の図面が本発明の典型的な実施形態のみを示すこと、それゆえ、本発明の範囲を限定するものと見なされるべきでないことに留意されたい。
【図面の簡単な説明】
【００１０】
【図１】本発明の実施形態による、ＲＴＰチャンバの断面図である。
【図２】本発明の実施形態による、ＲＴＰチャンバの断面図である。
【図３】図１及び図２に示されるチャンバリッドの等角図である。
【図４】図１及び図２に示される基板支持体の上平面図である。
【発明を実施するための形態】
【００１１】
理解するのを容易にするために、複数の図面に共通する同一の要素を指示するために、可能であれば同一の参照番号が使用されている。１つの実施形態において開示される要素は、具体的に記載されなくても、他の実施形態においても有益に利用される場合もあることが企図される。
【００１２】
本発明の実施形態は、一般的にはＲＴＰチャンバに関する。そのチャンバは、一般的にチャンバ本体と、チャンバリッドとを含む。チャンバ本体は、基板支持体上に位置決めされた基板を加熱するため抵抗ヒータの複数の区域を有する基板支持体を含む。また、チャンバ本体は、任意で、熱応力を緩和する冷却チャネルと、その中に配置され、熱処理中に発生した熱を封じ込めるための断熱ライナとを含む。チャンバリッドは、その中を貫通する開口部を有するリッド本体と、開口部内に配置される反射板とを含む。複数の高温計が反射板内に位置決めされ、基板支持体の区域に対応する、基板の全域にわたる複数の場所で基板の温度を測定する。各区域の温度は、複数の高温計からの信号に応じて調整される。
【００１３】
図１は、本発明の一実施形態によるＲＴＰチャンバ１００の断面図である。ＲＴＰチャンバ１００は、その中に位置決めされる基板１０１を熱処理するように適合される。ＲＴＰチャンバは、チャンバ本体１０２と、その上に配置されるチャンバリッド１０４とを含む。チャンバ本体１０２は、アルミニウム又はアルミニウム合金から形成され、チャンバ圧を約１０トル〜約３５０トルなどの、１トル〜約８００トルの範囲内に保持するように適合される。チャン本体１０２は、処理中にチャンバ本体１０２を冷却するために、その中に形成され、その中を通して温度制御流体を流動させる流路１０６を含む。チャンバ本体１０２を冷却することによって、基板１０１の加熱中の熱応力に起因してチャンバ本体１０２に劣化が生じる確率を小さくする。窒化アルミニウムなどの断熱材から形成されるライナ１０７が、チャンバ本体１０２の内面に沿って配置され、チャンバ本体内への熱の封じ込めを容易にし、かつ熱処理効率を高める。流路１０６は、ライナ１０７と共同して、チャンバ本体１０２が熱処理中にかけられる熱応力に耐えることを可能にしながら、アルミニウムなどの低コストの材料がチャンバ本体１０２を形成するために利用されることを可能にする。
【００１４】
基板支持体１０８がチャンバ本体１０２内に位置決めされる。基板支持体１０８を、焼結窒化アルミニウムから形成することができ、処理中の基板１０１の加熱を容易にするために、その中に埋め込まれた抵抗加熱素子などの複数の加熱素子１１０を含む。加熱素子１１０を、モリブデンから形成することができ、支持体シャフト１１２を貫通して配置されるワイヤによって電源１１７に結合される。加熱素子１１０は伝導によって基板１０１の加熱を提供し、基板を約２５℃〜約５００℃などの、約２５℃〜約９００℃の範囲内の温度まで加熱することができる。熱の伝導は、放射などの他のタイプの加熱よりも、状況によってはより望ましい場合がある。例えば、放射は、基板に熱を供給するために、多数の高価な電球を必要とする。しかしながら、電球は交換を頻繁に必要とするかも知れず、従って、加熱ランプを利用するチャンバを稼働するためのコストを増加させる。さらに、電球は不均一に照明するかも知れず、従って、最終的に製造されたデバイスの品質を低下させる。抵抗加熱素子１１０などの抵抗加熱素子は、頻繁な交換を必要とせず、稼働するための費用が、よりかからない。
【００１５】
支持体シャフト１１２は、ニッケルから形成されることができ、基板支持体１０８の下側に結合され、基板支持体１０８を支持する。支持体シャフト１１２はリフタアセンブリ１１４に結合され、リフタアセンブリ１１４は、図示されるように、チャンバリッド１０４に隣接する処理位置内に基板１０１を位置決めするのを容易にするため、ステッパモータなどのアクチュエータ１１６を含む。また、リフタアセンブリ１１４は、スリットバルブなどの開口部１１８を通って、チャンバ本体１０２から基板１０１を取り出すのを容易にする。リフタアセンブリ１１４は、基板支持体１０８を垂直方向に作動させて、リフトピン１２０がチャンバ本体１０２内に位置決めされたリフト板１２２と接触することを可能にするように適合される。リフトピン１２０とリフト板１２２との接触は、基板支持体１０８が下げられるにつれて、基板支持体１０８の表面から基板１０１を持ち上げる。基板１０１は、ロボット（図示せず）による、開口部１１８を通ってチャンバ本体１０２から基板１０１の除去を可能にする位置で、リフトピン１２０上に保持される。基板１０１を、裏返して、チャンバ本体１０２内に位置決めすることもできる。
【００１６】
チャンバリッド１０４はチャンバ本体１０２上に位置決めされる。チャンバリッド１０４はリッド本体１２３と、反射板１２４とを含む。反射板１２４は円形の形状を有し、リッド本体１２３内に位置する円形開口部１２６内に配置される。反射板１２４は、リッド本体１２３の上面上に反射板１２４を支持するため円形開口部１２６よりも大きな直径を有する環状縁部１３２を有する。環状縁部は反射板１２４をリッド本体１２３に固定するためのボルトなどの締め具１３４を収容するために、その中を貫通する複数の開口部を有する。反射板１２４は、円形開口部１２６内に位置決めされ、円形開口部１２６を通って延在する。反射板１２４の表面１３６が基板１０１に隣接して位置決めされる。反射板１２４は、反射板１２４を貫通して配置され、基板１０１の温度を測定する高温計１２８の精度を高めるために、金、銀、ニッケル、アルミニウム又はロジウムから形成されるか、又は、金、銀、ニッケル、アルミニウム又はロジウムでコーティングされる。一実施形態では、反射板１２４は、約０．９０以上などの、約０．５０以上の反射率を有することができる。反射板１２４は一般的に、基板支持体１０８に概ね等しいか、約１パーセント大きいなどの、基板支持体１０８よりもわずかに大きい直径を有する。
【００１７】
一般的に、１つの高温計１２８は、その中に個々の加熱素子１１０を有する基板支持体１０８の１つの区域に対応する基板１０１の温度を測定するように適合される（図１には４つの高温計のみが示される）。しかしながら、温度監視を強化するために、基板支持体１０８の各区域が、２つ以上の対応する高温計を有することができることが企図される。各高温計１２８はコントローラ１３０に結合され、コントローラ１３０は同様に電源１１７に結合される。コントローラ１３０は、電源１１７によって各加熱素子１１０に印加される電力を制御することによって、基板支持体１０８の各区域の閉ループ制御を容易にする。必要であれば、高温計１２８は、チャンバリッド１０４から締め具１３４を取り外し、反射板１２４をリッド本体１２３から分離し、そして、高温計１２８を露出させることによって容易に、かつ迅速に交換されることができる。
【００１８】
高温計１２８は、正確かつ安価な、基板１０１の温度測定及び制御を容易にする。高温計は、基板支持体に埋め込まれた従来の抵抗温度測定デバイスとは異なり、その上に基板が位置決めされる基板支持体の温度を測定するとういうよりはむしろ、基板温度を直接測定することができる。基板の温度を直接測定することによって、基板のより正確な熱処理が提供される。さらに、高温計１２８を、基板支持体内に埋め込まれた抵抗温度測定デバイスよりも、より容易に交換することができる。
【００１９】
図２は、本発明の別の実施形態による、ＲＴＰチャンバ２００の断面図を示す。ＲＴＰチャンバ２００はＲＴＰチャンバ１００に類似しているが、ＲＴＰチャンバ２００ではライナ１０７が除外されている点が異なる。ＲＴＰチャンバ２００はライナを含まないので、ＲＴＰチャンバ２００の温度は、ＲＴＰチャンバ１００の温度と比べて異なって制御される。例えば、流路１０６を通る冷却剤の流量を増やしてもよい。それに加えて、又はその代わりに、アルミニウム合金又はステンレス鋼などの、より高い温度に耐えることができる材料を用いて、ＲＴＰチャンバ２００を建設してもよい。さらに、その中に流体チャネル１８０を有する水冷式の支持ブラケット１８２を基板支持体１０８に結合して、ＲＴＰチャンバ２００の冷却を促進することができることが企図されている。そのような実施形態では、流路１０６を任意で削除することができる。
【００２０】
図３は、図１及び図２に示されるチャンバリッド１０４の等角図である。チャンバリッド１０４のそれぞれ構成要素をより明確に図示するために、反射板１２４及びリッド本体１２３は分離されて示される。リッド本体１２３は一般的に、アルミニウム合金又はアルミニウムなど、チャンバ本体１０２（図１に示される）と同じ材料から形成される。反射板１２４は環状縁部１３２を貫通して配置される複数の開口部３４０を含む。開口部３４０は、その中に締め具を挿入するために、リッド本体１２３内に形成される開口部３４２（仮想線で示される）と一直線に並べられる。開口部３４２を通ってチャンバ本体１０２が汚れるのを防ぐために、開口部３４２は一般的に、リッド本体１２３を完全に貫通しては形成されない。基板１０１（図１に示される）の温度測定を容易にするため、反射板１２４の表面１３６を貫通して複数の高温計１２８が露出される。図３に示される実施形態では、６個の高温計が示されており、６個の高温計のそれぞれは、図４に示される基板支持体１０８の６つの加熱区域のうちの１つに対応する。温度監視の精度を高めるために、区域あたり２つ以上の高温計１２８を利用できることが企図される。
【００２１】
図４は、図１及び図２に示される基板支持体１０８の平面図である。基板支持体１０８は、焼結窒化アルミニウムから形成されることができ、区域４５１〜４５６などの複数の区域を含む。各区域４５１〜４５６は、対応する独立した加熱素子４１０ａ〜４１０ｆ（仮想線で示される）を含み、加熱素子４１０ａ〜４１０ｆは基板支持体１０８内に埋め込まれ、各区域４５１〜４５６の独立温度制御を提供するために、独立して制御されることができる。加熱素子４１０ａ〜４１０ｆを、モリブデンなどの材料から形成することができる。
【００２２】
区域４５１は円形の形状をしており、基板支持体１０８上の中心に配置される。区域４５１は、基板支持体１０８の上面の約５パーセント〜約１５パーセント、例えば、約１０パーセントを覆うことができる。区域４５１は、円形の形状を有する加熱素子４１０ａによって加熱される。区域４５２は区域４５１の周囲を囲む。区域４５２は基板支持体１０８の上面の約５５パーセント〜約７０パーセント、例えば、約６３パーセントを覆うことができる。区域４５２は円形の形状である加熱素子４１０ｂによって加熱される。区域４５３〜４５６は区域４５２の外周の周囲に配置され、区域４５３〜４５６はそれぞれ区域４５２の外周の約９０度を覆う。各区域４５３〜４５６は、基板支持体１０８の上面の約３パーセント〜約１０パーセント、例えば、約６．６パーセントを覆う。区域４５３〜４５６は、その上に配置される基板の周囲のエリアの正確な温度制御を容易にする。基板の外縁付近から熱が除去されることに起因して、基板の周囲のエリアは通常、平均基板温度から逸脱する温度を有する可能性が最も高いエリアである。したがって、区域４５３〜４５６のサイズが相対的に小さいことは、基板の外縁の正確な温度制御を容易にし、一方、基板の加熱の大部分は内側区域４５１及び４５２によってもたらされる。
【００２３】
各高温計１２８の温度検知の位置は、基板支持体１０８の表面上に仮想線で示される。温度検知点４６０ａ〜４６０ｆは一般的に、各区域４５１〜４５６上の実質的に中心に位置決めされるが、温度検知点４６０ｂは例外である。区域４５２は環状の形状である。しかしながら、区域４５２は単一の加熱素子４１０ｂしか含まないので、区域４５２の温度は概ね一貫している。したがって、温度検知点４６０ｂを一般的に、区域４５２に沿った任意の場所に位置決めすることができ、それでも正確な温度測定値をもたらすことができる。基板支持体１０８及びその上に支持される基板の温度制御を更に正確にするために、更なる高温計又は更なる加熱素子を利用できることが企図される。
【００２４】
本発明の実施形態は、効率的で、かつ安価な加熱デバイス及び温度検知デバイスを利用して、低コストのＲＴＰチャンバを提供する。チャンバはアルミニウム又はアルミニウム合金の構成要素を利用し、それにより、他の金属、例えば、ステンレス鋼と比べて、チャンバの構成要素のより安価での製作を可能にする。熱処理中に利用される処理温度によっては溶融する場合があるアルミニウム又はアルミニウム合金の使用は、断熱ライナ及び冷却チャネルを使用することにより可能にされる。チャンバは断熱ライナを利用して、チャンバ内で実行される熱処理の効率を高め、それにより、チャンバを稼働するためのコストを削減し、並びにチャンバの構成要素を望ましくない加熱から保護する。ＲＴＰチャンバ本体内に配置される１つ又は複数の冷却チャネルは、ＲＴＰチャンバの内部容積が、チャンバ本体材料の融点を超える温度まで迅速に加熱されることを可能にする。１つ又は複数の冷却チャネルは、加熱プロセス中に、チャンバ本体をチャンバ本体材料の融点より低い温度に保持し、それにより、チャンバ本体の完全性を維持する。
【００２５】
また、チャンバは、その中に埋め込まれた加熱素子を有する基板支持体を利用して、その上に位置決めされた基板を伝導によって加熱する。熱伝導は、基板を加熱する効率的なやり方であり、電球を利用するシステムのように、コストがかかる構成要素を頻繁に交換する必要がない。基板温度は、高温計によって測定され、基板に加えられる熱の量は閉ループを用いて制御される。高温計は、基板支持体温度を測定するため抵抗温度測定デバイスを使用するとういうよりはむしろ、基板温度が直接測定されることを可能にする。基板の温度を直接測定することは、基板のより正確な熱処理を容易にする。
【００２６】
これまでの説明は本発明の実施形態に向けられてきたが、その基本的な範囲から逸脱することなく、本発明の他の実施形態及び更なる実施形態を考案することができ、本発明の範囲は添付の特許請求の範囲によって決定される。
【図１】
2015501080.tif 000003
【図２】
2015501080.tif 000004
【図３】
2015501080.tif 000005
【図４】
2015501080.tif 000006
【国際調査報告】
2015501080.tif 000007
2015501080.tif 000008